【手続補正書】
【提出日】平成23年5月13日(2011.5.13)
【手続補正１】
【補正対象書類名】明細書
【補正対象項目名】００５６
【補正方法】変更
【補正の内容】
【００５６】
実施例４
供給物流の水濃度を３５重量％まで上昇させた以外は、実施例３で実施した同じ手順を繰り返す。関連データを表Ｉに報告する。
以下に、本発明及びその関連態様を列挙する。
態様１．化学プロセスに於ける液体流からの少なくとも１種の重金属及び少なくとも１種のハロゲンの除去及び回収方法であって、
ａ）前記液体流を、強塩基性アニオン交換樹脂と接触させ、そして
ｂ）工程（ａ）からの排出流を、キレート化カチオン交換樹脂と接触させる
工程を含んでなる方法。
態様２．ｃ）前記アニオン交換樹脂を、アニオン交換樹脂再生溶液と接触させることによって、前記アニオン交換樹脂を再生させて、回収された重金属及びハロゲンを形成する
工程を更に含む態様１に記載の方法。
態様３．前記アニオン交換樹脂再生溶液が水及び酢酸を含む態様２に記載の方法。
態様４．ｄ）前記キレート化カチオン交換樹脂を再生させて、回収された重金属及びハロゲンを形成する
工程を更に含む態様１〜３の何れか１項に記載の方法。
態様５．工程（ｄ）が、前記キレート化カチオン交換樹脂を再生プライマーと接触させ、その後、前記キレート化カチオン交換樹脂を、キレート化カチオン交換樹脂再生溶液と接触させることを含む態様４に記載の方法。
態様６．前記再生プライマーが臭化水素又は塩化水素を含む態様５に記載の方法。
態様７．前記キレート化カチオン交換樹脂再生溶液が水である態様５又は６に記載の方法。
態様８．ｅ）前記回収された重金属及びハロゲンを精製する
工程を更に含む態様１〜７の何れか１項に記載の方法。
態様９．工程（ｅ）が、前記回収された重金属及びハロゲンを、水酸化物形又はアセテート形である強塩基性アニオン交換樹脂と接触させて、精製された重金属及びハロゲンを形成する工程を含む態様８に記載の方法。
態様１０．ｆ）前記化学プロセスに於いて前記の精製された重金属及びハロゲンを使用する
工程を更に含む態様９に記載の方法。
態様１１．前記重金属がＣｏ、Ｍｎ、Ｃｅ、Ｚｒ、Ｈｆ又はこれらの組合せである態様１〜１０の何れか１項に記載の方法。
態様１２．前記化学プロセスがテレフタル酸製造プロセス、イソフタル酸プロセス及びトリメリット酸プロセスである態様１〜１１の何れか１項に記載の方法。
態様１３．前記ハロゲンがＢｒである態様１〜１２の何れか１項に記載の方法。
態様１４．工程（ａ）に於ける前記アニオン交換樹脂がハロゲン化されたアニオン交換樹脂である、態様１〜１３の何れか１項に記載の方法。
態様１５．前記アニオン交換樹脂が臭素化されたアニオン交換樹脂である態様１４に記載の方法。
態様１６．工程（ｂ）に於ける前記キレート化交換樹脂がイミド二酢酸樹脂である態様１〜１５の何れか１項に記載の方法。
態様１７．化学プロセスに於ける液体流からの、ｉ）Ｃｏ、Ｍｎ、Ｃｅ、Ｚｒ、Ｈｆ及びこれらの組合せからなる群から選択された少なくとも１種の重金属並びにｉｉ）臭素の除去及び回収方法であって、
ａ）前記液体流を、ハロゲン化物形である強塩基性アニオン交換樹脂と接触させ、
ｂ）工程（ａ）からの排出流を、キレート化カチオン交換樹脂と接触させ、
ｃ）前記アニオン交換樹脂を、水及び酢酸を含むアニオン交換樹脂再生溶液と接触させることによって、工程（ａ）に於けるアニオン交換樹脂を再生させて、回収された重金属及び臭素を形成し、
ｄ）前記キレート化カチオン交換樹脂を、ＨＢｒを含む再生プライマーと接触させ、その後、前記キレート化カチオン交換樹脂を、水を含む再生溶液と接触させることによって、前記キレート化カチオン交換樹脂を再生させて、回収された重金属及び臭素を形成し、
ｅ）前記の回収された重金属及び臭素を、水酸化物形である強塩基性アニオン交換樹脂と接触させることによって、前記の回収された重金属及び臭素を精製して、精製された重金属及び臭素を形成し、そして
ｆ）前記化学方法に於いて前記の精製された重金属及び臭素を使用する
工程を含んでなる除去及び回収方法。
態様１８．工程（ａ）に於ける前記強塩基性アニオン交換樹脂が臭素化されたアニオン交換樹脂である態様１６に記載の方法。
態様１９．前記キレート化カチオン交換樹脂がイミド二酢酸樹脂である態様１６又は１７に記載の方法。
態様２０．ＰＴＡプロセス中の液体流から、ｉ）Ｃｏ、Ｍｎ及びこれらの組合せからなる群から選択された少なくとも１種の重金属並びにｉｉ）臭素を除去及び回収する方法であって、
ａ）前記液体流を、キレート化カチオン交換樹脂と接触させ、
ｂ）前記キレート化カチオン交換樹脂を、ＨＢｒを含む再生プライマーと接触させ、その後、前記キレート化カチオン交換樹脂を、水を含む再生溶液と接触させることによって、前記キレート化カチオン交換樹脂を再生させて、回収された重金属及び臭素を形成し、
ｃ）前記の回収された重金属及び臭素を、水酸化物形である強塩基性アニオン交換樹脂と接触させることによって、前記の回収された重金属及び臭素を精製して、精製された重金属及び臭素を形成し、そして
ｄ）前記ＰＴＡ方法に於いて前記の精製された重金属及び臭素を使用する工程
を含んでなる除去及び回収方法。
態様２１．前記キレート化カチオン交換樹脂がイミド二酢酸樹脂である態様２０に記載の方法。
【手続補正２】
【補正対象書類名】特許請求の範囲
【補正対象項目名】全文
【補正方法】変更
【補正の内容】
【特許請求の範囲】
【請求項１】
化学プロセスに於ける液体流からの少なくとも１種の重金属及び少なくとも１種のハロゲンの除去及び回収方法であって、
ａ）前記液体流を、強塩基性アニオン交換樹脂と接触させ、そして
ｂ）工程（ａ）からの排出流を、キレート化カチオン交換樹脂と接触させる
工程を含んでなる方法。
【請求項２】
ｃ）前記アニオン交換樹脂を、アニオン交換樹脂再生溶液と接触させることによって、前記アニオン交換樹脂を再生させて、回収された重金属及びハロゲンを形成する
工程を更に含む請求項１に記載の方法。
【請求項３】
前記アニオン交換樹脂再生溶液が水及び酢酸を含む請求項２に記載の方法。
【請求項４】
ｄ）前記キレート化カチオン交換樹脂を再生させて、回収された重金属及びハロゲンを形成する
工程を更に含む請求項１〜３の何れか１項に記載の方法。
【請求項５】
工程（ｄ）が、前記キレート化カチオン交換樹脂を再生プライマーと接触させ、その後、前記キレート化カチオン交換樹脂を、キレート化カチオン交換樹脂再生溶液と接触させることを含む請求項４に記載の方法。
【請求項６】
前記再生プライマーが臭化水素又は塩化水素を含む請求項５に記載の方法。
【請求項７】
前記キレート化カチオン交換樹脂再生溶液が水である請求項５又は６に記載の方法。
【請求項８】
ｅ）前記回収された重金属及びハロゲンを精製する
工程を更に含む請求項１〜７の何れか１項に記載の方法。
【請求項９】
工程（ｅ）が、前記回収された重金属及びハロゲンを、水酸化物形又はアセテート形である強塩基性アニオン交換樹脂と接触させて、精製された重金属及びハロゲンを形成する工程を含む請求項８に記載の方法。
【請求項１０】
ｆ）前記化学プロセスに於いて前記の精製された重金属及びハロゲンを使用する
工程を更に含む請求項９に記載の方法。
【請求項１１】
前記重金属がＣｏ、Ｍｎ、Ｃｅ、Ｚｒ、Ｈｆ又はこれらの組合せである請求項１〜１０の何れか１項に記載の方法。
【請求項１２】
前記化学プロセスがテレフタル酸製造プロセス、イソフタル酸製造プロセス及びトリメリット酸製造プロセスである請求項１〜１１の何れか１項に記載の方法。
【請求項１３】
前記ハロゲンがＢｒである請求項１〜１２の何れか１項に記載の方法。
【請求項１４】
工程（ａ）に於ける前記アニオン交換樹脂がハロゲン化されたアニオン交換樹脂である、請求項１〜１３の何れか１項に記載の方法。
【請求項１５】
前記アニオン交換樹脂が臭素化されたアニオン交換樹脂である請求項１４に記載の方法。
【請求項１６】
工程（ｂ）に於ける前記キレート化交換樹脂がイミド二酢酸樹脂である請求項１〜１５の何れか１項に記載の方法。
【請求項１７】
化学プロセスに於ける液体流からの、ｉ）Ｃｏ、Ｍｎ、Ｃｅ、Ｚｒ、Ｈｆ及びこれらの組合せからなる群から選択された少なくとも１種の重金属並びにｉｉ）臭素の除去及び回収方法であって、
ａ）前記液体流を、ハロゲン化物形である強塩基性アニオン交換樹脂と接触させ、
ｂ）工程（ａ）からの排出流を、キレート化カチオン交換樹脂と接触させ、
ｃ）前記アニオン交換樹脂を、水及び酢酸を含むアニオン交換樹脂再生溶液と接触させることによって、工程（ａ）に於けるアニオン交換樹脂を再生させて、回収された重金属及び臭素を形成し、
ｄ）前記キレート化カチオン交換樹脂を、ＨＢｒを含む再生プライマーと接触させ、その後、前記キレート化カチオン交換樹脂を、水を含む再生溶液と接触させることによって、前記キレート化カチオン交換樹脂を再生させて、回収された重金属及び臭素を形成し、
ｅ）前記の回収された重金属及び臭素を、水酸化物形である強塩基性アニオン交換樹脂と接触させることによって、前記の回収された重金属及び臭素を精製して、精製された重金属及び臭素を形成し、そして
ｆ）前記化学方法に於いて前記の精製された重金属及び臭素を使用する
工程を含んでなる除去及び回収方法。
【請求項１８】
工程（ａ）に於ける前記強塩基性アニオン交換樹脂が臭素化されたアニオン交換樹脂である請求項１７に記載の方法。
【請求項１９】
前記キレート化カチオン交換樹脂がイミド二酢酸樹脂である請求項１６又は１７に記載の方法。
【請求項２０】
ＰＴＡプロセス中の液体流から、ｉ）Ｃｏ、Ｍｎ及びこれらの組合せからなる群から選択された少なくとも１種の重金属並びにｉｉ）臭素を除去及び回収する方法であって、
ａ）前記液体流を、キレート化カチオン交換樹脂と接触させ、
ｂ）前記キレート化カチオン交換樹脂を、ＨＢｒを含む再生プライマーと接触させ、その後、前記キレート化カチオン交換樹脂を、水を含む再生溶液と接触させることによって、前記キレート化カチオン交換樹脂を再生させて、回収された重金属及び臭素を形成し、
ｃ）前記の回収された重金属及び臭素を、水酸化物形である強塩基性アニオン交換樹脂と接触させることによって、前記の回収された重金属及び臭素を精製して、精製された重金属及び臭素を形成し、そして
ｄ）前記ＰＴＡ方法に於いて前記の精製された重金属及び臭素を使用する工程
を含んでなる除去及び回収方法。
【請求項２１】
前記キレート化カチオン交換樹脂がイミド二酢酸樹脂である請求項２０に記載の方法。